(57)【特許請求の範囲】
【請求項１】
底部が一方に下り傾斜する皿部の下流側にパチンコ球が一列に並ぶように設けられた球整列部と、前記球整列部の流下先端部に開設された球抜き口と、前記球抜き口に摺動可能に設けられ該球抜き口を開閉するシャッター部材と、前記シャッター部材の上方に摺動可能に設けられた球均し部材と、前記シャッター部材と前記球均し部材を操作する球抜き操作部材と、ほぼ中間位置に軸支部を設けたリンクとを備え、
前記シャッター部材、前記球均し部材及び前記球抜き操作部材の各々の端部には突起を突設すると共に、前記リンクにはその軸支部の下部に第１の長孔と第２の長孔を形成すると共に該軸支部の上部に第３の長孔を形成し、
前記第１の長孔に前記シャッター部材の突起を、前記第２の長孔に前記球均し部材の突起をそれぞれ連結すると共に、前記第３の長孔に前記球抜き操作部材の突起を連結し、
前記リンクをコイルばねにより回動付勢して前記シャッター部材が常に前記球抜き口を閉塞する位置に保持されるようにすると共に、前記球均し部材を前記球整列部の流下先端部の上方に臨ませるようにし、他方、前記球抜き操作部材を移動させると前記リンクが軸支部を支点に回動して、前記シャッター部材が前記球抜き口を開放すると共に、前記球均し部材を前記球整列部の流下先端部から後退させるようにしたことを特徴とするパチンコ機の打球供給皿。
【発明の詳細な説明】
【０００１】
【産業上の利用分野】
本発明は、パチンコ機の前面枠の前面に装着される打球供給皿に関し、特にパチンコ球が一列に並ぶ球整列部の流下先端部に球均し部材を摺動可能に設けたパチンコ機の打球供給皿に関するものである。
【０００２】
【従来の技術】
従来、この種のパチンコ機の打球供給皿は、図６に示すように底面が一方に下り傾斜する皿部１００の下流側にパチンコ球が一列に並ぶ球整列部１０１を形成し、その球整列部１０１の流下先端部に球抜き口１０２を開設すると共に、該球抜き口１０２にシャッター部材１０３を設け、球抜き操作部１０４を移動すると球抜き口１０２が開放されて皿部１００のパチンコ球を抜き出せるようになっている。
【０００３】
また、球整列部１０１の流下先端部には球抜き口１０２の上方部分を覆うように球均し部１０５が固定的に設けられている。
【０００４】
【発明が解決しようとする課題】
従来のパチンコ機の打球供給皿にあっては、球整列部１０１の流下先端部の上方が固定的に設けられた球均し部１０５によって覆われているため、その流下先端部特にその底部部分の拭き掃除が非常に困難であった。従って、汚れが増すと皿部１００に貯留されるパチンコ球の流れが悪くなって打球供給皿へ円滑に送り出すことができなくなるという問題点があった。
【０００５】
本発明は、従来技術の有するこのような問題点に鑑みてなされたものであり、その目的とするところは、球抜き口の開閉操作と球整列部の流下先端部の拭き掃除が容易にできるようなパチンコ機の打球供給皿を提供しようとするものである。
【０００６】
【課題を解決するための手段】
上記目的を達成するために、本発明に係るパチンコ機の打球供給皿は、底部が一方に下り傾斜する皿部の下流側にパチンコ球が一列に並ぶように設けられた球整列部と、前記球整列部の流下先端部に開設された球抜き口と、前記球抜き口に摺動可能に設けられ該球抜き口を開閉するシャッター部材と、前記シャッター部材の上方に摺動可能に設けられた球均し部材と、前記シャッター部材と前記球均し部材を操作する球抜き操作部材と、ほぼ中間位置に軸支部を設けたリンクとを備え、前記シャッター部材、前記球均し部材及び前記球抜き操作部材の各々の端部には突起を突設すると共に、前記リンクにはその軸支部の下部に第１の長孔と第２の長孔を形成すると共に該軸支部の上部に第３の長孔を形成し、前記第１の長孔に前記シャッター部材の突起を、前記第２の長孔に前記球均し部材の突起をそれぞれ連結すると共に、前記第３の長孔に前記球抜き操作部材の突起を連結し、前記リンクをコイルばねにより回動付勢して前記シャッター部材が常に前記球抜き口を閉塞する位置に保持されるようにすると共に、前記球均し部材を前記球整列部の流下先端部の上方に臨ませるようにし、他方、前記球抜き操作部材を移動させると前記リンクが軸支部を支点に回動して、前記シャッター部材が前記球抜き口を開放すると共に、前記球均し部材を前記球整列部の流下先端部から後退させるようにしたことを特徴としている。
【０００７】
【作用】
球抜き操作部材を移動するとリンクが回動し、該リンクの回動によつてシャッター部材と球均し部材がそれぞれ摺動する。そしてシャッター部材の摺動によって球抜き口が開放されて皿部のパチンコ球を抜き出すことができ、球均し部材の摺動によって球整列部の流下部が露出することになってその底部部分の拭き掃除が容易にできる。
【０００８】
このように、球抜き操作部材を移動するだけで皿部のパチンコ球の抜き出しもできるし、必要に応じて球整列部の流下部の拭き掃除も容易に行うことが可能となる。
【０００９】
【実施例】
以下、本発明の一実施例を図面に基づいて説明する。図１は本発明の実施例に係る打球供給皿を装着したパチンコ機の正面図、図２はその打球供給皿を裏面から見た斜視図、図３は皿部とカバー部材を分解した斜視図、図４はその要部部分の分解斜視図である。図において、１はパチンコ機の前面枠、２は前面枠１の前面に開閉自在に装着されるガラス枠、３はガラス枠２の下方に位置した前面板で、この前面板３の前面に本発明の一実施例の打球供給皿４が装着されている。５は打球供給皿４の余剰球を貯留する下部球受皿である。
【００１０】
打球供給皿４は、図２ないし図４に示すように皿部６と該皿部６の前面に取着されるカバー部材７とで構成され、複数の間隔保持突起８を介してビス９の締着により一体化される。
【００１１】
前記皿部６は、底部６ａが一方に下り傾斜しその底部６ａの下流側に球崩し段部１０と打球が一列に並ぶ球整列部１１を並設している。
【００１２】
前記球崩し段部１０は、上面を球整列部１１に向けて下る傾斜面として形成されている。また球整列部１１は底部６ａの後縁に沿うように設けられ、その流下先端部に球抜き口１２と該球抜き口１２を開閉するシャッター部材１３とを設けている。
【００１３】
前記シャッター部材１３は、薄板状に形成され、その後端部に突設した長短２本の筒状突起１４および１５を皿部６と一体の枠板１６に形成したガイド長孔１７および１８にそれぞれ臨ませている。そして、枠板１６の前面側に突設した軸１９にリンク２０の長さのほぼ中間を回動自在に軸支し、該リンク２０の下部に形成した第１の長孔２１に一方の筒状突起１４を挿入した上、その突出端に抜け止め用の環部材２２をねじ止めすることによりリンク２０に枢支連結する。
【００１４】
一方、前記シャッター部材１３の上方には球均し部材２３を平行状に設けている。球均し部材２３は、その上面が水平面として形成されると共に、下面は球整列部１１に並ぶパチンコ球を一列一段に均しながら流下先端部に流下させるようにテーパー面２３ａとして形成されている。
【００１５】
そして、後端部に突設した筒状突起２４および側面部に突設したガイドピン２５ａ，２５ｂを枠板１６のガイド長孔２６および２７ａ，２７ｂに臨ませると共に、長くした筒状突起２４をリンク２０の軸１９より下部の第２の長孔２８に挿入した上、その突出端に抜け止め用の環部材２９をねじ止めすることによりリンク２０に枢支連結する。これによって、リンク２０とシャッター部材１３および球均し部材２３は連動可能となると共に、リンク２０の回動によって左右方向へ摺動可能となる。なお、前記球均し部材２３の前面板３と相対する内側面は図４に示すようにその一部が切欠きされており、前面板３との接触摩擦による抵抗を少なくして該球均し部材２３が円滑に摺動し得るようになっている。また、球均し部材２３のテーパー状の下面には図５に示すように三角状の小突起が設けられており、該小突起によって積み重なるパチンコ球の球圧の方向を分散して球均しを確実に行い得るようになっている。
【００１６】
３０は球抜き操作部材で、枠板１６の上面部１６ａを左右に移動可能な摘み部３１とリンク２０に連結する連結片３２とで構成される。そして、摘み部３１の下面に間隔保持突起３３，３３を突設し、該間隔保持突起３３，３３を上面部１６ａに形成した長孔３４に挿入した上、連結片３２にねじ止めして一体化し、さらにその連結片３２の先端部分に突設した係合ピン３４をリンク２０の軸１９より上部に形成した第３の長孔３５に係合させる。これによつて、球抜き操作部材３０とリンク２０は連動可能となる。
【００１７】
また、図３において前記リンク２０はコイルばね３６によつて常時時計方向に回動付勢されており、これによってシャッター部材１３を常に球抜き口１２を閉塞する位置に付勢すると共に、球均し部材２３を球整列部１１の流下先端部の上方に臨ませている。なお、３７は球抜き口１２の下方に設けられた球抜き通路部、３８，３８はシャッター部材１３の筒状突起１５および球均し部材２３のガイドピン２５ａにねじ止めする抜け止め用の環部材である。
【００１８】
このように構成された本実施例の打球供給皿４は、球抜き操作部材３０の摘み部３１を図５鎖線のように手で移動するとリンク２０がコイルばね３６の付勢に抗して軸１９を支点に回動し、シャッター部材１３および球均し部材２３が同図実線位置から鎖線位置に摺動する。
【００１９】
従って、シャッター部材１３の摺動によつて球抜き口１２が開放されて皿部６のパチンコ球を下部球受皿５に抜き出すことができると共に、球均し部材２３が球整列部１１の流下先端部から後退して該流下先端部の底部部分が露出することになるため拭き掃除を容易に行うことができるようになる。また、球均し部材２３が後退することによって球抜き口１２の上方部分に障害物がなくなるためパチンコ球が球抜き口１２に向けて円滑に流下することになり、皿部６のパチンコ球を早く抜き出すことができる。
【００２０】
そして、摘み部３１から手を離すとコイルばね３６の付勢力によりリンク２０が回動し、これによつてシャッター部材１３および球均し部材２３が図５実線位置に摺動してシャッター部材１３で球抜き口１２を閉塞すると共に、球均し部材２３が前進してシャッター部材１３の上方に戻り、球整列部１１でダンゴ状に積み重なるパチンコ球をそのテーパー状の下面で一段に均らしながら流下先端部に流下させるようにする。
【００２１】
【発明の効果】
本発明は、以上説明したように構成されているので、以下に記載されるよう効果を奏する。
【００２２】
球抜き操作部材を手で移動することによつて球抜き口を開閉するシャッター部材と球整列部に並ぶパチンコ球を一列一段に均す球均し部材を摺動する構成を採用することによって、皿部のパチンコ球を球抜き口に円滑に流下させることができるようになり、パチンコ球を早く抜き出すことができる。
【００２３】
また、球均し部材が球整列部の流下部から後退して邪魔にならなくなるため、該流下部の底部部分の拭き掃除が容易にできる。
【図面の簡単な説明】
【図１】本発明の一実施例に係る打球供給皿が装着されたパチンコ機の正面図である。
【図２】同打球供給皿を裏面から見た斜視図である。
【図３】同打球供給皿の皿部とカバー部材とを分解した斜視図である。
【図４】同要部の分解斜視図である。
【図５】同要部の作用説明図である。
【図６】従来の打球供給皿の裏面図である。
【符号の説明】
４        打球供給皿
６        皿部
１１      球整列部
１２      球抜き口
１３      シャッター部材
２０      リンク
２３      球均し部材
３０      球抜き操作部材
３６      コイルばね
【図１】
0004003979.tif 000002
【図２】
0004003979.tif 000003
【図３】
0004003979.tif 000004
【図４】
0004003979.tif 000005
【図５】
0004003979.tif 000006
【図６】
0004003979.tif 000007